(57)【特許請求の範囲】
【請求項１】
カーテン（８）と窓面（３），（３）との間の空気流通空間（９）に室内の空気を流す送風手段（１１，１２，１３）を備え、該送風手段（１１，１２，１３）により上記カーテン（８）と窓面（３），（３）との間の空気流通空間（９）を介して室内の空気を上下方向にサーキュレーションすることにより、窓面（３），（３）に生じる結露を防止するようにした窓用結露防止装置であって、上記送風手段（１１，１２，１３）が、上記室内の空気を、上記空気流通空間（９）の上方側から下方側へのサーキュレーション方向、下方側から上方側へのサーキュレーション方向、又は上記空気流通空間（９）をパスした天井部を中心とするサーキュレーション方向の任意の方向に吹き分けて流すことができる通路方向切換機能を備えたサーキュレーションユニットに構成されており、さらに上記サーキュレーションユニットは、窓部（１）の幅に対応した長さのケーシング（１１）と、該ケーシング（１１）の上面側に形成された第１の開口部（１１ａ）、同ケーシング（１１）の下面側に形成された第２の開口部（１１ｂ）、同ケーシング（１１）の前面側に形成された第３の開口部（１１ｃ）の３つの開口部と、上記ケーシング（１１）の中央部にあって、回転可能に支持されたスクロール通路（１２）および同スクロール通路（１２）中に回転可能に軸支されたクロスフローファン（１３）よりなる送風機とを中心として構成されており、上記送風機は、上記スクロール通路（１２）部分を任意に回転操作して、その空気吸込口（１２ａ）と空気吹出口（１２ｂ）とを上記第１，第２，第３の開口部（１１ａ），（１１ｂ），（１１ｃ）の何れか２組に対応させて少なくとも３種類の空気送風通路形態を実現することにより、上記室内の空気を、上記空気流通空間（９）の上方側から下方側へのサーキュレーション方向、下方側から上方側へのサーキュレーション方向、又は上記空気流通空間（９）をパスした天井部を中心とするサーキュレーション方向の何れかの方向に吹き分けるように構成したことを特徴とする窓用結露防止装置。
【請求項２】
上記送風手段（１１，１２，１３）が、上記カーテンレール（５）の上部に設置されるようになっていることを特徴とする請求項１記載の窓用結露防止装置。
【請求項３】
カーテン（８）と窓面（３），（３）との間の空気流通空間（９）に室内の空気を流す送風手段（１１，１２，１３）を備え、該送風手段（１１，１２，１３）により上記カーテン（８）と窓面（３），（３）との間の空気流通空間（９）を介して室内の空気を上下方向にサーキュレーションすることにより、窓面（３），（３）に生じる結露を防止するようにした窓用結露防止装置であって、上記送風手段（１１，１２，１３）が、上記カーテンレール（５）を覆うカーテンボックス１５の室内側縁部１５ａに対し、空気通路形成部材（１６）を介して取り付けられるようになっていることを特徴とする窓用結露防止装置。
【発明の詳細な説明】
【０００１】
【発明の属する技術分野】
【０００２】
本願発明は、窓用の結露防止装置に関するものである。
【発明が解決しようとする課題】
【０００３】
冬季において、室内を暖房すると、特に窓の室内側ガラス面には結露が生じやすい。この結露による水は、やがて敷居部に溜り、床面や壁面を濡らすこともある。
【０００４】
また、同暖房をルームエアコンで行うようにした場合、窓側からの冷気のダウンドラフトが生じたり、室内上方の天井部付近に暖気溜りが生じて室内空気の温度分布が不均一になり、暖房効率を低下させるとともに、快適性をも阻害する等の問題がある。
【０００５】
本願発明は、このような問題を解決するためになされたもので、カーテンと窓面との間の空間を介して室内の空気をサーキュレーションすることにより、窓面に生じる結露を有効に防止し、かつダウンドラフト等の問題をも解決できるようにした結露防止装置を提供することを目的とするものである。
【課題を解決するための手段】
【０００６】
本願発明は、上記の目的を達成するために、次のような課題解決手段を備えて構成されている。
【０００７】
（１）  請求項１の発明
この発明の窓用結露防止装置は、図面に例示するように、カーテン８と窓面３，３との間の空気流通空間９に室内の空気を流す送風手段１１，１２，１３を備え、該送風手段１１，１２，１３により上記カーテン８と窓面３，３との間の空気流通空間９を介して室内の空気を上下方向にサーキュレーションすることにより、窓面３，３に生じる結露を防止するようにした窓用結露防止装置であって、上記送風手段１１，１２，１３が、上記室内の空気を、上記空気流通空間９の上方側から下方側へのサーキュレーション方向、下方側から上方側へのサーキュレーション方向、又は上記空気流通空間９をパスした天井部を中心とするサーキュレーション方向の任意の方向に吹き分けて流すことができる通路方向切換機能を備えたサーキュレーションユニットに構成されており、さらに上記サーキュレーションユニットは、窓部１の幅に対応した長さのケーシング１１と、該ケーシング１１の上面側に形成された第１の開口部１１ａ、同ケーシング１１の下面側に形成された第２の開口部１１ｂ、同ケーシング１１の前面側に形成された第３の開口部１１ｃの３つの開口部と、上記ケーシング１１の中央部にあって、回転可能に支持されたスクロール通路１２および同スクロール通路１２中に回転可能に軸支されたクロスフローファン１３よりなる送風機とを中心として構成されており、上記送風機は、上記スクロール通路１２部分を任意に回転操作して、その空気吸込口１２ａと空気吹出口１２ｂとを上記第１，第２，第３の開口部１１ａ，１１ｂ，１１ｃの何れか２組に対応させて少なくとも３種類の空気送風通路形態を実現することにより、上記室内の空気を、上記空気流通空間９の上方側から下方側へのサーキュレーション方向、下方側から上方側へのサーキュレーション方向、又は上記空気流通空間９をパスした天井部を中心とするサーキュレーション方向の何れかの方向に吹き分けるように構成したことを特徴としている。
【０００８】
したがって、該構成では、先ず第一に、上記送風手段１１，１２，１３を駆動すると、カーテン８と窓面３，３との間の空気流通空間９を介して室内側の暖かい空気が上方から下方、又は下方から上方にサーキュレーションされ、窓面３，３に結露が生じにくくなるとともに、生じた結露が次第に蒸発して消失する。また、室内側の空気の上下方向の温度差も解消される。
【０００９】
次に、該構成では、上記サーキュレーションユニットの空気送風通路の通路方向を切換えて、例えば上記空気流通空間９の上方から下方に室内の空気を流すようにすると、有効に窓面３，３の結露を防止できるようになる。
【００１０】
また、同サーキュレーションユニットの空気送風通路の通路方向を切換えて、例えば上記空気流通空間９の下方から上方に室内の空気を流すようにすると、上記同様に有効に窓面の結露を防止できることはもちろん、窓側からの冷気のダウンドラフトを防止することができるようになる。
【００１１】
さらに、同サーキュレーションユニットの空気送風通路の通路方向を切換えて、上記空気流通空間９をパスして例えば天井部の空気を天井部付近で水平方向にサーキュレーションさせるようにすると、天井部の暖気溜りを撹拌して消失させることができるようになる。
【００１２】
その際、例えば上記スクロール通路１２の空気吸込口１２ａ側を上記ケーシング１１の上面側第１の開口部１１ａに対応させるとともに空気吹出口１２ｂ側を上記ケーシング１１の下面側第２の開口部１１ｂに対応させると、上記空気流通空間９を上下方向に空気が流通する結露防止運転状態、次に上記スクロール通路１２の空気吸込口１２ａ側を上記ケーシング１１の下面側第２の開口部１１ｂに対応させるとともに空気吹出口１２ｂ側を上記ケーシング１１の前面側第３の開口部１１ｃに対応させると、上記空気流通空間９を下方から上方に空気が流れる結露防止運転およびダウンドラフト防止運転状態、さらに上記スクロール通路１２の空気吸込口１２ａ側を上記ケーシング１１の前面側第３の開口部１１ｃに対応させるとともに空気吹出口１２ｂ側を上記ケーシング１１の上面側第１の開口部１１ａに対応させると、天井部の空気を撹拌する暖気溜り撹拌運転状態の少なくとも３種類の空気吹分け状態の運転を行うことができるようになる。
【００１３】
（２）  請求項２の発明
この発明の窓用結露防止装置は、上記請求項１記載の発明の構成において、上記送風手段１１，１２，１３が、上記カーテンレール５の上部に設置されるようになっていることを特徴としている。
【００１４】
したがって、該構成によると、上記カーテンレール５上に設置された送風手段１１，１２，１３により、上記カーテン８と窓面３，３との間の空気流通空間９に室内側の暖かい空気が上方から下方又は下方から上方に流されてサーキュレーションが実現され、窓面３，３に結露が生じにくくなるとともに、生じた結露が次第に蒸発して消失する。また、室内側の空気の上下方向の温度差も解消される。
【００１５】
（３）  請求項３の発明
この発明の窓用結露防止装置は、図面に例示するように、カーテン８と窓面３，３との間の空気流通空間９に室内の空気を流す送風手段１１，１２，１３を備え、該送風手段１１，１２，１３により上記カーテン８と窓面３，３との間の空気流通空間９を介して室内の空気を上下方向にサーキュレーションすることにより、窓面３，３に生じる結露を防止するようにした窓用結露防止装置であって、上記送風手段１１，１２，１３が、上記カーテンレール５を覆うカーテンボックス１５の室内側縁部１５ａに対し、空気通路形成部材１６を介して取り付けられるようになっていることを特徴としている。
【００１６】
したがって、該構成によると、上記カーテンレール５を覆うカーテンボックス１５の室内側縁部１５ａに空気通路形成部材１６を介して取り付けられれた送風手段１１，１２，１３により、空気通路形成部材１６により形成された空気通路を介して上記カーテン８と窓面３，３との間の空気流通空間９に室内側の暖かい空気が上方から下方又は下方から上方に流されてサーキュレーションが実現され、窓面３，３に結露が生じにくくなるとともに、生じた結露が次第に蒸発して消失する。また、室内側の空気の上下方向の温度差も解消される。
【発明の効果】
【００１７】
以上の結果、本願発明の窓用結露防止装置によると、次のような有益な効果を得ることができる。
【００１８】
（１）  室内暖房時における窓面の結露を有効に防止することができる。
【００１９】
（２）  同室内暖房時の窓側からの冷気のダウンドラフトを防止することができるようになり、室内暖房時の快適性を向上させることができる。
【００２０】
（３）  同室内暖房時における天井部の暖気溜りを解消することができ、室内空気の温度分布を均一にすることができるので、省エネ性を上げることができ、かつ快適性を向上させることができる。
【発明の実施の形態】
【００２１】
（実施の形態１）
図１〜図３は、本願発明の実施の形態１に係る窓用結露防止装置の構成を示している。
【００２２】
本実施の形態の窓用結露防止装置はカーテンレール５の上部に設けられ、その基本機能として、カーテン８と窓面との間の空気流通空間９を介して室内の空気Ａを上下方向にサーキュレーションすることにより、窓面に生じる結露を有効に防止するようにしたことを特徴としている。
【００２３】
先ず図１〜図３において、符号１は例えば住宅の壁２部分に設けられた採光用の窓部であり、該窓部１には、所定の大きさと枚数の窓ガラス３，３が開閉可能に設置されて、採光用の窓面を形成している。このように窓面を形成する窓ガラス３，３の室内面には、一般に冬季においてルームエアコンを暖房運転した時に結露が生じやすい。
【００２４】
一方、上記窓部１内側の所定寸法上方部には、図示のように、支持剛性の高い所定の長さの水平アーム４，４を介して断面円形の相当に太いカーテンレール５が取り付けられている。そして、同カーテンレール５に対して、その下方側から連結具６，６・・・およびガイドリング７，７・・・を介してカーテン８が吊設されている。また、上記水平アーム４，４の室内側への張り出し長さは、それなりに大きく、上記窓ガラス３，３の室内面とカーテン８との間に所定の幅の上方から下方（又は下方から上方）に抜ける空気流通空間９が形成されている。
【００２５】
一方、符号１０が、上記カーテンレール５の上部に設けられ、室内側の空気Ａを上記空気流通空間９を介してサーキュレーション状態で流す送風手段としての機能および同室内の空気を上記空気流通空間９の上方側から下方側へのサーキュレーション方向、また下方側から上方側へのサーキュレーション方向、さらには上記空気流通空間９をパスした天井部サーキュレーション方向の任意の方向に空気を吹き分けて流す多方向サーキュレーションユニットとしての機能の両機能を有して、上記窓ガラス３，３とカーテン８との間の空気流通空間９への空気供給状態をコントロールできるようにした結露防止装置である。
【００２６】
該結露防止装置１０は、この実施の形態の場合、上記窓部１の幅に対応した長さの角筒状の直方体ケーシング１１と、該直方体ケーシング１１の上面側前部に形成された第１の開口部１１ａ、同直方体ケーシング１１の下面側背部に形成された第２の開口部１１ｂ、同直方体ケーシング１１の前面側（室内面側）上部に形成された第３の開口部１１ｃの少なくとも３つの空気通路形成用の開口部と、上記直方体ケーシング１１の中央部にあって、周囲２組の円弧状の支持面を有する支持部材１８，１８によって回転可能に支持された略円柱体構造のスクロール通路１２および同スクロール通路１２中において回転可能に軸支されたクロスフローファン１３よりなる送風機とを中心として構成されている。
【００２７】
そして上記クロスフローファン１３は、例えば一例として軸方向各節のブレード部が平行な多連型のクロスフローファンが採用されている。
【００２８】
また上記送風機は、例えば上記略円柱体構造のスクロール通路１２部分を、図示しない長手方向両端側円板壁の軸心部分で軸支することにより、手動又は電動で任意に回転操作できるように構成されており、例えば上記スクロール通路１２の空気吸込口１２ａ側を上記直方体ケーシング１１の上面側第１の開口部１１ａに対応させるとともに空気吹出口１２ｂ側を上記直方体ケーシング１１の下面側第２の開口部１１ｂに対応させた図１の結露防止運転状態、次に上記スクロール通路１２の空気吸込口１２ａ側を上記直方体ケーシング１１の下面側第２の開口部１１ｂに対応させるとともに空気吹出口１２ｂ側を上記直方体ケーシング１１の前面側第３の開口部１１ｃに対応させた下方から上方に空気を流す図２の結露防止運転およびダウンドラフト防止運転状態、さらに上記スクロール通路１２の空気吸込口１２ａ側を上記直方体ケーシング１１の前面側第３の開口部１１ｃに対応させるとともに空気吹出口１２ｂ側を上記直方体ケーシング１１の上面側第１の開口部１１ａに対応させた図３の暖気溜撹拌運転状態との３種類の運転を行うことができるようになっている。
【００２９】
そして、その結果、それら各々の運転状態に対応して、次のような有益な作用効果が実現される。
【００３０】
（１）  図１の結露防止運転の場合
カーテン８と窓面（窓ガラス３，３の室内面）との間の空気流通空間９を介して部屋側の暖かい空気Ａが上下方向にサーキュレーションされ、窓面に結露が生じにくくなるとともに、生じた結露が次第に蒸発して消失する。また、室内（部屋）側の空気の上下方向の温度差も解消される。
【００３１】
（２）  図２の結露防止およびダウンドラフト防止運転の場合
カーテン８と窓面（窓ガラス３，３の室内面）との間の空気流通空間９を介して部屋側の暖かい空気Ａが下方から上方にサーキュレーションされ、上記（１）の場合と同様に窓面に結露が生じにくくなるとともに、生じた結露が次第に蒸発して消失する。また、暖かい空気が窓面から上方に移動するようになるので、従来のような窓面側からの冷気のダウンドラフトが解消されるとともに、室内側空気の上下方向の温度差も解消される。
【００３２】
（３）  図３の暖気溜撹拌運転の場合
カーテン８と窓面（窓ガラス３，３の室内面）との間の空気流通空間９をパスして部屋天井側の暖かい空気Ａが水平方向にサーキュレーションされ、部屋の天井部に生じやすい暖気溜りが消失する。また、その結果、部屋側の上下方向の温度差解消にも寄与する。
【００３３】
（変形例１）
なお、以上のような構成を採用した場合、窓部１の幅が大きくなってくると、必然的にクロスフローファン１３を含めた装置１０の長さも長くなってくる。
【００３４】
そこで、この問題に対する対策として、例えば上記最終的な空気吹出口となる第２の開口部１１ｂの長手方向に、同長手方向両端側に空気吹出角を拡大する吹出方向可変型のフラップを並設する。
【００３５】
このような構成を採用すると、装置１０の長さが窓部１の幅よりも短かくても対応できるようになり、装置１０のコンパクト化、低コスト化につながる。
【００３６】
（変形例２）
なお、上記クロスフローファン１３としては、上述した平行ブレードの通常の多連タイプのものの他に、例えば図４に示すように、軸方向各節のブレード部１３ａ〜１３ｅがスパイラル構造となった多連型のスパイラルファンを採用することもできる。図中、符号１４は同クロスフローファン１３のファンモータ、１５は同ファンモータ１４の回転軸である。
【００３７】
このようなタイプのクロスフローファン１３を採用すると、回転軸両端側外方に広がるように空気Ａを吹き出すことができるから、例えば窓部１の幅が大きく、それに対応するクロスフローファン１３の長さも大きいものが要求されるような場合に、窓部１の幅よりも短かいクロスフローファン１３で対応させることができるようになり、装置の小型化、低コスト化を図ることができるようになる。
【００３８】
（変形例３）
なお、上記変形例２のようなスパイラル構造のクロスフローファン１３を採用した場合において、さらに上記変形例１のような吹出方向可変フラップを組み合わせることもできる。
【００３９】
そのような構成を採用すると、より窓幅に対するコンパクト化が図られるとともに、設置場所の形態に応じた適切な吹出角の調節が可能になる。
【００４０】
（実施の形態２）
次に図５および図６は、本願発明の実施の形態２に係る窓用結露防止装置の構成を示している。
【００４１】
本実施の形態のものは、例えば上述の実施の形態１のものと同様のカーテンレール５上に図示のような鉤形のカーテンボックス１５が設けられている場合に対応して設置できるようにしたことを特徴としている。
【００４２】
そのために、上記カーテンボックス１５の室内側縁部１５ａとの間で、図示のようなクランク状の送風通路９ａを形成することができる鉤形の空気通路形成部材１６をオプション設定して構成されている。
【００４３】
なお、送風手段およびサーキュレーションユニットとして機能する結露防止装置１０自体の構造は、上記第１の実施の形態のものと略同様に窓部１の幅に対応した長さの直方体ケーシング１１と、該直方体ケーシング１１の前面側下部に形成された第１の開口部１１ａ、上面側前部に形成された第２の開口部１１ｂの少なくとも２つの通風路形成用の開口部と、上記直方体ケーシング１１の中央部にあって支持部材１８，１８により回転可能に支持された略円柱体構造のスクロール通路１２および該スクロール通路１２中にあって回転可能に軸支されたクロスフローファン１３よりなる送風機とを中心として構成されている。
【００４４】
上記送風機は、上記略円柱体構造のスクロール通路１２部分を長手方向両端側円板壁の軸心部分で軸支することにより、任意に回転操作できるように構成されている。
【００４５】
そして、上記空気通路形成部材１６は、上記カーテンボックス１５および結露防止装置１０の直方体ケーシング１１方向に延びて設けられており、上記カーテンボックス１５の室内側上下方向の縁部１５ａの下端に対して図示のように直方体ケーシング１１の背面側上部を固定して取り付けられている上記結露防止装置１０の下面側前部に、図示のように、その上下方向の縦壁１６ａ側が上記カーテンレール５の下部に臨む状態で、その水平方向の底壁１６ｂ側前端を固定して設けられている。
【００４６】
そして、これによりカーテン８と窓面との間の空気流通空間９を上記カーテンボックス１５内側の逆Ｕ字状の空気通路９ａを介して結露防止装置１０の第１の開口部１１ａに連通させるクランク形状の空気通路が形成されている。
【００４７】
したがって、このような構成の場合にも、例えば図５のように、上記送風機ユニットのスクロール通路１２の空気吸込口１２ａ側を上記背面側第１の開口部１１ａに、また他方空気吹出口１２ｂ側を上記前面側第２の開口部１１ｂに対応させてクロスフローファン１３を駆動すると、図示のごとく室内側床面２０付近の空気Ａをカーテン８と窓面との間の空気流通空間９を介して緩やかに上方に流すことができ、上述の各実施の形態のものと同様の室内空気の上下方向のサーキュレーションが可能となる。
【００４８】
その結果、窓面の結露の発生が防止されるとともに、室内側空気の上下方向の温度分布が均一になる。
【００４９】
また、その場合、上記第２の開口部１１ｂからの空気Ａを図示のごとく水平方向前方に吹き出させるようにすると、例えば上記実施の形態１の図２の場合と同様の結露防止およびダウンドラフト防止運転が可能となる。
【００５０】
また、例えば図６のように、上記スクロール通路１２の空気吸込口１２ａ側を上記直方体ケーシング１１の背面側第１の開口部１１ａに対応させるとともに空気吹出口１２ｂ側を上記直方体ケーシング１１の上面側第３の開口部１１ｃに対応させて同第３の開口部１１ｃから天井方向に空気Ａを吹き出させるようにすると、上述の結露防止作用はもちろん、上記実施の形態１の図３の場合と同様の天井部の暖気溜撹拌運転も可能となる。
【００５１】
また、図５、図６何れかの状態において、クロスフローファン１３を上記と逆方向に回転させると、上記カーテン８と窓面との間の空気流通空間９の上方から下方に緩やかに空気を流すことができ、上記実施の形態１の図１と略同様の結露防止運転が可能となる。
【００５２】
（参考例）
次に図７および図８は、参考例に係る窓用結露防止装置の構成を示している。
【００５３】
この参考例の窓用結露防止装置１０は、上述の２つの実施の形態のものが何れもカーテンレール５側に設けられるものであったのに対し、カーテン８下方部の床面２０と窓面下部の仕切壁３０との間のコーナ部２８部分に設けるようにしたものであることを特徴としている。
【００５４】
すなわち、本参考例の窓用結露防止装置１０は、例えばマンションなどで一般に採用されている非掃き出し構造の窓部１の下部（敷居部）２７に設けられているベランダ２９側との仕切壁３０が所定の高さを有していることを利用して、その内側床面２０との間のコーナ部２８のカーテン８下方部分に位置して図示のように設けられている。そして、同結露防止装置１０自体は、上記第１，第２の実施の形態のものと同様に、上記窓部１の幅に対応した長さの直方体ケーシング１１と、該直方体ケーシング１１の前面側下部に形成された第１の開口部１１ａ、上面側奥部に形成された第２の開口部１１ｂの少なくとも２つの空気通路形成用開口部と、上記直方体ケーシング１１の中央部にあって回転可能に支持された略円柱体構造のスクロール通路１２および該スクロール通路１２中にあって支持部材１８，１８により回転可能に軸支されたクロスフローファン１３よりなる送風機とを中心として構成されている。
【００５５】
上記送風機は、上記略円柱体構造のスクロール通路１２部分を長手方向両端側円板壁の軸心部分で軸支することにより、任意に回転操作できるように構成されている。そして、該送風機の上記スクロール通路１２の空気吸込口１２ａ側を上記前面側第１の開口部１１ａに、また他方空気吹出口１２ｂ側を上記上面側第２の開口部１１ｂに対応させてクロスフローファン１３を駆動すると、図示のごとく室内側床面２０付近の空気Ａをカーテン８と窓面との間の空気流通空間９を介して上方に緩やかに流すことができ、上述の各実施の形態のものと同様の室内空気の上下方向のサーキュレーションが可能となる。
【００５６】
その結果、窓面の結露の発生が防止されるとともに、室内側空気の上下方向の温度分布が均一化され、天井部の暖気溜りも解消される。
【００５７】
（変形例）
なお、本参考例の形態において、上記窓用結露防止装置１０のケーシング１１の形状は、必ずしも上述のような直方体形状のものに限られる訳ではなく、例えば図８のような扇形形状のものにして、見映えを良くするとともに、室内とベランダ２９側との出入りがしやすい構成にすることも任意に採用される。
【００５８】
（その他の参考例の形態）
（１）  上記サーキュレーションユニットとしての結露防止装置１０は、以上のような設置形態の他にも、例えば何らかの補助部材を用いて、ウィンドファンのように窓面側に設置することも可能である。
【００５９】
そして、そのようにした場合、例えば必要に応じて換気機能を付加することもできる。
【００６０】
（２）  上記空気流通空間９に流す空気の流量、流速は、上述のようにサーキュレーションユニットとしての空気の吹き分け形態に応じて異なるので、当然それに応じて上述のクロスフローファン１３の回転数は適切に設定制御される。
【００６１】
（３）  また、同クロスフローファン１３は、本来の結露防止を目的とする限りにおいては、実際に結露が生じていない場合にまで不必要に運転することはない。
【００６２】
したがって、例えば湿度センサを窓面に設置するなどして、結露が生じやすくなると自動的に運転を開始し、また一旦生じた結露が消失すると自動的に運転を停止するようにする構成も採用される。
【図面の簡単な説明】
【図１】  本願発明の実施の形態１に係る窓用結露防止装置の基本となる結露防止運転状態の断面図である。
【図２】  同窓用結露防止装置の結露防止運転およびダウンドラフト防止運転状態の断面図である。
【図３】  同窓用結露防止装置の天井部暖気溜撹拌運転状態の断面図である。
【図４】  同実施の形態１の変形例２に係る窓用結露防止装置において採用されるクロスフローファンの正面図である。
【図５】  本願発明の実施の形態２に係る窓用結露防止装置の結露防止運転およびダウンドラフト防止運転状態の断面図である。
【図６】  同窓用結露防止装置の天井部暖気溜撹拌運転状態の断面図である。
【図７】  参考例に係る窓用結露防止装置の結露防止運転状態の断面図である。
【図８】  同窓用結露防止装置の変形例の斜視図である。
【符号の説明】
１は窓部、２は壁、３は窓ガラス、４は水平アーム、５はカーテンレール、６は連結具、８はカーテン、１０は結露防止装置、１１は直方体ケーシング、１１ａは第１の開口部、１１ｂは第２の開口部、１１ｃは第３の開口部、１２はスクロール通路、１２ａは空気吸込口、１２ｂは空気吹出口、１３はクロスフローファン、１５はカーテンボックス、１６は空気通路形成部材、２７は窓部下部（敷居部）、２０は床面、２８はコーナ部、２９はベランダ、３０は仕切壁である。
【図１】
0004701553.tif 000002
【図２】
0004701553.tif 000003
【図３】
0004701553.tif 000004
【図４】
0004701553.tif 000005
【図５】
0004701553.tif 000006
【図６】
0004701553.tif 000007
【図７】
0004701553.tif 000008
【図８】
0004701553.tif 000009